(57)【要約】【課題】周辺機器の取り付けが容易で、かつ美観を向上させることができるガスメータと周辺機器との取り付け構造を提供する。【解決手段】ガスメータ１の底面の両サイドにはそれぞれ、一対のスナップ爪受部１２１が設けられている。周辺機器１３の上面は、ガスメータ１の底面と同等の幅及び奥行きを有しており、周辺機器１３の上面の両サイドにはそれぞれ、上記一対のスナップ爪受部１２１にそれぞれ係合するスナップ爪１３１が設けられている。周辺機器１３をガスメータ１に取り付けるときには、周辺機器１３に設けられた一対のスナップ爪１３１と、ガスメータ１に設けられた一対のスナップ爪受部１２１と、を係合させる。これにより、ネジ止め作業等を要することなく、スナップフィットだけで容易に周辺機器１３をガスメータ１に取り付けることができる。【選択図】図１
2005345351.tif 000002
【特許請求の範囲】
【請求項１】
ガスメータとその周辺機器との取り付け構造であって、
前記ガスメータ及び前記周辺機器の一方の取付面の両サイドにそれぞれ設けられた、一対のスナップ爪と、
前記ガスメータ及び前記周辺機器の他方の取付面の両サイドにそれぞれ設けられた、前記スナップ爪に係合する一対のスナップ爪受部と、
を有することを特徴とするガスメータと周辺機器との取り付け構造。
【請求項２】
ガスメータとその周辺機器との取り付け構造であって、
前記ガスメータ及び前記周辺機器の一方の取付面の両サイドにそれぞれ設けられた、突起及びスナップ爪受部と、
前記ガスメータ及び前記周辺機器の他方の取付面の両サイドにそれぞれ設けられた、前記突起が挿入される突起受部及び前記スナップ爪受部に係合するスナップ爪と、
を有することを特徴とするガスメータと周辺機器との取り付け構造。
【請求項３】
ガスメータとその周辺機器との取り付け構造であって、
前記ガスメータの端子台側方に設けられたストッパ溝及びこのストッパ溝に対向するサイドに設けられたひっかけ穴部と、
前記周辺機器の上面の両サイドにそれぞれ設けられた、前記ストッパ溝に係合するストッパ爪及び前記ひっかけ穴部に掛合するひっかけ爪と、
前記端子台及び前記ストッパ溝を共に覆うように取り付けられる端子台カバーと、
を有することを特徴とするガスメータと周辺機器との取り付け構造。
【請求項４】
ガスメータとその周辺機器との取り付け構造であって、
前記ガスメータ及び前記周辺機器の一方の取付面の両サイドにそれぞれ設けられた、第１カギ穴部及びひっかけ穴部と、
前記ガスメータ及び前記周辺機器の他方の取付面の両サイドにそれぞれ設けられた、前記第１カギ穴部と同等形状の第２カギ穴部及び前記ひっかけ穴部に掛合するひっかけ爪と、
前記第１カギ穴部及び前記第２カギ穴部に対応した形状をしており、前記第１カギ穴部及び前記第２カギ穴部に挿入後回転されて、前記第１カギ穴部及び第２カギ穴部をロックするカギ部材と、
を有することを特徴とするガスメータと周辺機器との取り付け構造。
【請求項５】
ガスメータとその周辺機器との取り付け構造であって、
前記ガスメータの端子台下方に設けられた正面を向いたネジ受部及びこのネジ受部に対向するサイドに設けられたひっかけ穴部と、
前記周辺機器の上面の両サイドにそれぞれ設けられた、前記ネジ受部に対応するネジ穴部及び前記ひっかけ穴部に掛合するひっかけ爪と、
前記ネジ穴部を介して前記ネジ受部に螺合されるネジと、
前記端子台及び前記ネジ受部を共に覆うように取り付けられる端子台カバーと、
を有することを特徴とするガスメータと周辺機器との取り付け構造。
【請求項６】
ガスメータとその周辺機器との取り付け構造であって、
前記ガスメータの底面の両サイドにそれぞれ設けられた、下方を向いたネジ受部及びひっかけ穴部と、
前記周辺機器の上面の両サイドにそれぞれ設けられた、前記ネジ受部に対応するネジ穴部及び前記ひっかけ穴部に掛合するひっかけ爪と、
前記ネジ穴部を介して前記ネジ受部に螺合されるネジと、
を有することを特徴とするガスメータと周辺機器との取り付け構造。
【発明の詳細な説明】
【技術分野】
【０００１】
本発明は、ガスメータとこのガスメータに着脱可能な周辺機器との取り付け構造に関する。
【背景技術】
【０００２】
近年、マイクロコンピュータを利用して流量センサによる検出流量を積算してガス使用量を算出したり、異常時には保安のためにガス流路を遮断する遮断弁装置等を備えた電子式ガスメータが普及している。更に、このような電子式ガスメータで取得されたガス使用量や保安に関する情報等を無線回線や電話回線を介して遠隔の管理センタに送信して、遠隔管理を行うシステムも普及しつつある。そして、このようなシステムにおいては、ガスメータ側に管理センタ側との通信を制御するためのＮＣＵ（網制御ユニット）等の周辺機器を取り付ける必要があるのだが、従来、このような周辺機器を収容する周辺機器を取り付けるためのネジ止め、配線等の取り付け工数がかかったり、このネジ止め、配線等により美観を損なう等の問題が発生していた。このような問題を以下に図面を用いて説明する。
【０００３】
図７（Ａ）及び図７（Ｂ）は共に、従来のガスメータと周辺機器との取り付け構造を示す図である。図７（Ａ）に示す第１従来例においては、箱型状の外形を有するガスメータ７と周辺機器８とは接続線８０を介して電気的に接続される。ガスメータ７の上面には、ガス供給源側及びガス消費側に至るそれぞれのガス配管に連接される円筒状の流入口７１及び流出口７２が設けられている。流入口７１から流入したガスは、ガスメータ７内に形成された流路を経て、流出口７２側に流出していく。この流路の途中には流量センサが配置されており、この流量センサによる流量検出値に基づいてメータ本体７に内蔵されるマイクロコンピュータによりガス使用量が算出される。また、ガス流量異常や圧力異常時等には保安のためにマイクロコンピュータにより遮断弁装置が制御されてガス流路が遮断される。ガスメータ７の前面には、上記ガス使用量や保安情報等を表示する表示部７３やリセットスイッチ７４等が配されている。
【０００４】
一方、周辺機器８には、上記ＮＣＵ等の外部との通信機器が内蔵されている。この周辺機器８は複数のネジ穴が設けられた取付片８１を有しており、各ネジ穴に対応するネジ８５ａ〜８５ｄが挿通されて、周辺機器８はガスメータ７近傍の壁等の所定の取付場所にネジ止め固定される。そして、この周辺機器８は、ガス使用量や保安情報等を電送する信号線を含む接続線８０を介して上記ガスメータ７と電気的に接続される。
【０００５】
また、図７（Ｂ）に示す第２従来例においては、箱型状の外形を有するガスメータ９と周辺機器８とが、第１従来例と同様、接続線８０を介して電気的に接続されるが、周辺機器８はガスメータ９の側面にネジ止め固定される。このガスメータ９は、上記ガスメータ７と同様、その上面にはガス供給源側及びガス消費側に至るそれぞれのガス配管に連接される円筒状の流入口９１及び流出口９２が設けられ、その前面には、ガス使用量や保安情報等を表示する表示部９３やリセットスイッチ９４等が配されている。また、このガスメータ９でも、ガスメータ７と同様に、マイクロコンピュータによりガス使用量や保安処理が行われる。但し、このガスメータ９には、その側面に周辺機器８がネジ止め固定するための複数のネジ穴８５ａ、８５ｂ等が設けられている。これらネジ穴９５ａ、９５ｂ等は、周辺機器８の取付片８１に形成された複数のネジ穴に対応する位置関係にある。
【０００６】
周辺機器８の構成は、図７（Ａ）で示したものと全く同様であるので重複説明は省略する。但し、この周辺機器８は、取付片８１に設けられた各ネジ穴にネジ８５ａ、８５ｂ等が挿通されてガスメータ９の側面に設けられたネジ穴９５ａ、８５ｂ等に螺合されて、ガスメータ９の側面に固定される。そして、この周辺機器８は、ガス使用量や保安情報等を電送する信号線を含む接続線８０を介して上記ガスメータ７と電気的に接続される。そして、この周辺機器８も、ガス使用量や保安情報等を電送する信号線を含む接続線８０を介して上記ガスメータ９と電気的に接続される。
【０００７】
なお、この出願の発明に関連する先行技術文献情報としては次のものがある。
【特許文献１】特開２００３−１３３７５７号公報
【発明の開示】
【発明が解決しようとする課題】
【０００８】
ところが、上記第１従来例及び第２従来例のいずれにおいても、周辺機器の固定には多くのネジ止め作業が不可欠になり、取り付け工数がかかるという問題が発生する。また、いずれの例においても接続線の配線が必要であり、部品点数が増加したり、美観を損なうという問題が発生する。更に、第１従来例では周辺機器取り付けのために壁等にネジ穴があけられるため家屋が傷つけられるという問題も発生する。
【０００９】
よって本発明は、上述した現状に鑑み、周辺機器の取り付けが容易で、かつ美観を向上させることができるガスメータと周辺機器との取り付け構造を提供することを課題としている。
【課題を解決するための手段】
【００１０】
上記課題を解決するためになされた請求項１記載のガスメータと周辺機器との取り付け構造は、ガスメータとその周辺機器との取り付け構造であって、前記ガスメータ及び前記周辺機器の一方の取付面の両サイドにそれぞれ設けられた、一対のスナップ爪と、前記ガスメータ及び前記周辺機器の他方の取付面の両サイドにそれぞれ設けられた、前記スナップ爪に係合する一対のスナップ爪受部と、を有することを特徴とする。
【００１１】
請求項１記載の発明によれば、ガスメータ及び周辺機器の一方の取付面の両サイドにそれぞれ設けられた、一対のスナップ爪と、他方の取付面の両サイドにそれぞれ設けられた、スナップ爪に係合する一対のスナップ爪受部と、が係合されて、周辺機器がガスメータに取り付けられる。
【００１２】
上記課題を解決するためになされた請求項２記載のガスメータと周辺機器との取り付け構造は、ガスメータとその周辺機器との取り付け構造であって、前記ガスメータ及び前記周辺機器の一方の取付面の両サイドにそれぞれ設けられた、突起及びスナップ爪受部と、前記ガスメータ及び前記周辺機器の他方の取付面の両サイドにそれぞれ設けられた、前記突起が挿入される突起受部及び前記スナップ爪受部に係合するスナップ爪と、を有することを特徴とする。
【００１３】
請求項２記載の発明によれば、ガスメータ及び周辺機器の一方の取付面のサイドに設けられた突起を、他方の取付面のサイドに設けられた突起受部に挿入した後、一方の取付面のサイドに設けられたスナップ爪受部に、他方の取付面のサイドに設けられたスナップ爪を係合させる。
【００１４】
上記課題を解決するためになされた請求項３記載のガスメータと周辺機器との取り付け構造は、ガスメータとその周辺機器との取り付け構造であって、前記ガスメータの端子台側方に設けられたストッパ溝及びこのストッパ溝に対向するサイドに設けられたひっかけ穴部と、前記周辺機器の上面の両サイドにそれぞれ設けられた、前記ストッパ溝に係合するストッパ爪及び前記ひっかけ穴部に掛合するひっかけ爪と、前記端子台及び前記ストッパ溝を共に覆うように取り付けられる端子台カバーと、を有することを特徴とする。
【００１５】
請求項３記載の発明によれば、ガスメータの端子台に対向するサイドに設けられたひっかけ穴部に、周辺機器の上面のサイドに設けられたひっかけ爪を掛合させた後、ガスメータの端子台側方に設けられたストッパ溝に、周辺機器の上面のサイドに設けられたストッパ爪を係合させる。そして、端子台及びストッパ爪、ストッパ溝を共に覆うように端子台カバーを取り付ける。
【００１６】
上記課題を解決するためになされた請求項４記載のガスメータと周辺機器との取り付け構造は、ガスメータとその周辺機器との取り付け構造であって、前記ガスメータ及び前記周辺機器の一方の取付面の両サイドにそれぞれ設けられた、第１カギ穴部及びひっかけ穴部と、前記ガスメータ及び前記周辺機器の他方の取付面の両サイドにそれぞれ設けられた、前記第１カギ穴部と同等形状の第２カギ穴部及び前記ひっかけ穴部に掛合するひっかけ爪と、前記第１カギ穴部及び前記第２カギ穴部に対応した形状をしており、前記第１カギ穴部及び前記第２カギ穴部に挿入後回転されて、前記第１カギ穴部及び第２カギ穴部をロックするカギ部材と、を有することを特徴とする。
【００１７】
請求項４記載の発明によれば、ガスメータ及び周辺機器の一方の取付面のサイドに設けられたひっかけ穴部に、他方の取付面のサイドに設けられたひっかけ爪を掛合させた後、一方の取付面のサイドに設けられた第１カギ穴部と他方の取付面のサイドに設けられた第２カギ穴部とを符合させる。そして、カギ部材を第１カギ穴部及び第２カギ穴部に挿入後回転されて、第１カギ穴部及び第２カギ穴部をロックする。
【００１８】
上記課題を解決するためになされた請求項５記載のガスメータと周辺機器との取り付け構造は、ガスメータとその周辺機器との取り付け構造であって、前記ガスメータの端子台下方に設けられた正面を向いたネジ受部及びこのネジ受部に対向するサイドに設けられたひっかけ穴部と、前記周辺機器の上面の両サイドにそれぞれ設けられた、前記ネジ受部に対応するネジ穴部及び前記ひっかけ穴部に掛合するひっかけ爪と、前記ネジ穴部を介して前記ネジ受部に螺合されるネジと、前記端子台及び前記ネジ受部を共に覆うように取り付けられる端子台カバーと、を有することを特徴とする。
【００１９】
請求項５記載の発明によれば、ガスメータの端子台に対向するサイドに設けられたひっかけ穴部に、周辺機器の上面のサイドに設けられたひっかけ爪を掛合させた後、ガスメータの端子台下方に設けられたネジ受部に、周辺機器の上面のサイドに設けられたネジ穴部を符合させる。そして、ネジ穴部を介してネジをネジ受部に螺合させた後、端子台カバーを取り付ける。
【００２０】
上記課題を解決するためになされた請求項６記載のガスメータと周辺機器との取り付け構造は、ガスメータとその周辺機器との取り付け構造であって、前記ガスメータの底面の両サイドにそれぞれ設けられた、下方を向いたネジ受部及びひっかけ穴部と、前記周辺機器の上面の両サイドにそれぞれ設けられた、前記ネジ受部に対応するネジ穴部及び前記ひっかけ穴部に掛合するひっかけ爪と、前記ネジ穴部を介して前記ネジ受部に螺合されるネジと、を有することを特徴とする。
【００２１】
請求項６記載の発明によれば、ガスメータの底面のサイドに設けられたひっかけ穴部に、周辺機器の上面のサイドに設けられたひっかけ爪を掛合させた後、ガスメータの底面のサイドに設けられた下方を向いたネジ受部と周辺機器の上面のサイドに設けられたネジ穴部とを符合させる。そして、ネジ穴部を介してネジをネジ受部に螺合させる。
【発明の効果】
【００２２】
請求項１記載の発明によれば、ガスメータ及び周辺機器の一方の取付面の両サイドにそれぞれ設けられた、一対のスナップ爪と、他方の取付面の両サイドにそれぞれ設けられた、スナップ爪に係合する一対のスナップ爪受部と、が係合されて、周辺機器がガスメータに取り付けられる。したがって、ネジ止め作業等を要することなく、スナップフィットだけで容易に周辺機器を取り付けることができる。また、ネジ止めが不要なので美観も向上する。
【００２３】
請求項２記載の発明によれば、ガスメータ及び周辺機器の一方の取付面のサイドに設けられた突起を、他方の取付面のサイドに設けられた突起受部に挿入した後、一方の取付面のサイドに設けられたスナップ爪受部に、他方の取付面のサイドに設けられたスナップ爪を係合させる。したがって、ネジ止め作業等を要することなく、一箇所のスナップフィットだけで容易に周辺機器を取り付けることができる。また、ネジ止めが不要なので美観も向上する。
【００２４】
請求項３記載の発明によれば、ガスメータの端子台に対向するサイドに設けられたひっかけ穴部に、周辺機器の上面のサイドに設けられたひっかけ爪を掛合させた後、ガスメータの端子台側方に設けられたストッパ溝に、周辺機器の上面のサイドに設けられたストッパ爪を係合させる。そして、端子台及びストッパ爪、ストッパ溝を共に覆うように端子台カバーを取り付ける。したがって、ネジ止め作業等を要することなく、容易に周辺機器を取り付けることができる。また、端子台と共にストッパ溝が端子台カバーで覆われるので、美観も向上する。
【００２５】
請求項４記載の発明によれば、ガスメータ及び周辺機器の一方の取付面のサイドに設けられたひっかけ穴部に、他方の取付面のサイドに設けられたひっかけ爪を掛合させた後、一方の取付面のサイドに設けられた第１カギ穴部と他方の取付面のサイドに設けられた第２カギ穴部とを符合させる。そして、カギ部材を第１カギ穴部及び第２カギ穴部に挿入後回転されて、第１カギ穴部及び第２カギ穴部をロックする。したがって、ドライバ等の工具を要することなく、容易に周辺機器を取り付けることができる。また、ネジ止めが不要なので美観も向上する。
【００２６】
請求項５記載の発明によれば、ガスメータの端子台に対向するサイドに設けられたひっかけ穴部に、周辺機器の上面のサイドに設けられたひっかけ爪を掛合させた後、ガスメータの端子台下方に設けられたネジ受部に、周辺機器の上面のサイドに設けられたネジ穴部を符合させる。そして、ネジ穴部を介してネジをネジ受部に螺合させた後、端子台カバーを取り付ける。したがって、少ないネジ止めにより、容易に周辺機器を取り付けることができる。また、ネジやネジ穴部が端子台カバーで覆われるので、美観も向上する。
【００２７】
請求項６記載の発明によれば、ガスメータの底面のサイドに設けられたひっかけ穴部に、周辺機器の上面のサイドに設けられたひっかけ爪を掛合させた後、ガスメータの底面のサイドに設けられた下方を向いたネジ受部と周辺機器の上面のサイドに設けられたネジ穴部とを符合させる。そして、ネジ穴部を介してネジをネジ受部に螺合させる。したがって、少ないネジ止めにより、容易に周辺機器を取り付けることができる。また、ネジ受部は下方を向いているので、正面からはネジが視認されることがなく美観も向上する。
【発明を実施するための最良の形態】
【００２８】
以下、本発明の実施の形態を図面に基づいて説明する。図１（Ａ）及び図１（Ｂ）は本発明の第１実施形態に関し、図２（Ａ）及び図２（Ｂ）は本発明の第２実施形態に関し、図３（Ａ）及び図３（Ｂ）は本発明の第３実施形態に関し、図４（Ａ）及び図４（Ｂ）は本発明の第４実施形態に関し、図５（Ａ）及び図５（Ｂ）は本発明の第５実施形態に関し、図６（Ａ）及び図６（Ｂ）は本発明の第６実施形態に関する。
【００２９】
[第１実施形態]
図１（Ａ）及び図１（Ｂ）はそれぞれ、本発明の第１実施形態に係るガスメータと周辺機器との取り付け構造を示す正面図及び側面図である。
【００３０】
図１（Ａ）及び図１（Ｂ）に示すように、ガスメータ１は、前面を構成するフロントカバー１０、箱形の本体ケース１１、底面を構成するアンダーカバー１２で外形が構成される。フロントカバー１０はネジ１１１により本体ケース１１に固定され、アンダーカバー１２はネジ１２２により本体ケース１１に固定されている。アンダーカバー１２、すなわち、ガスメータ１の底面には、周辺機器１３が取り付けられる。なお、以降の説明では、簡単に、ガスメータ１の底面、前面、上面等とよぶものとする。
【００３１】
ガスメータ１の上面には、ガス供給源側及びガス消費側に至るそれぞれのガス配管に連接される円筒状の流入口１０１及び流出口１０２が設けられている。流入口１０１から流入したガスは、ガスメータ１内に形成された流路を経て、流出口１０２側に流出していく。この流路の途中にはマイクロフローセンサや超音波式等、公知の流量センサが配置されている。そして、この流量センサによる流量検出値に基づいてメータ１に内蔵されるマイクロコンピュータによりガス使用量が算出される。また、ガス流量異常や圧力異常時等には保安のためにマイクロコンピュータによりガスメータ１に内蔵される遮断弁装置が制御されてガス流路が遮断される。
【００３２】
ガスメータ１の前面には、上記ガス使用量や保安情報等を表示する表示部１０３やリセットスイッチ１０４、図示しない端子台を覆う端子台カバー１０５がネジ１０６により固定されている。ガスメータ１の底面（請求項１中の他方の取付面に対応）の両サイド、例えば、両短辺にはそれぞれ、周辺機器１３を固定するための、一対のスナップ爪受部１２１が設けられている。
【００３３】
一方、周辺機器１３は箱形をしており、例えば、ＮＣＵ等の外部との通信機器が内蔵されている。ガスメータ１の底面に対面する周辺機器１３の上面（請求項１中の一方の取付面に対応）は、上記ガスメータ１の底面と同等の幅及び奥行きを有している。周辺機器１３の上面の両サイド、例えば、両短辺にはそれぞれ、上記一対のスナップ爪受部１２１にそれぞれ係合するスナップ爪１３１が設けられている。
【００３４】
周辺機器１３をガスメータ１に取り付けるときには、周辺機器１３に設けられた一対のスナップ爪１３１と、ガスメータ１に設けられた一対のスナップ爪受部１２１と、を係合させる。すなわち、ネジ止め作業等を要することなく、スナップフィットだけで容易に周辺機器１３をガスメータ１に取り付けることができる。
【００３５】
なお、ここでは図示しないが、上記周辺機器１３の取り付けにともないガスメータ１と周辺機器１３との電気的接続も同時に行うようにすることが可能である。この場合、ガスメータ１の底面及び周辺機器１３の上面にそれぞれ電気的接続端子板を設けておき、取り付け完了時に、これらが電気的に接触するようにしておけばよい。こうすることにより、ガスメータ１と周辺機器１３との間の配線が不要となる。
【００３６】
また、上述のように、ガスメータ１の底面及び周辺機器１３の上面を取付面とすることが好ましいが、ガスメータ１及び周辺機器１３の他面を取付面とすることも可能である。また、上記実施形態とは逆に、スナップ爪１３１をガスメータ１側に設け、スナップ爪受部１２１を周辺機器１３側に設けることも可能である。
【００３７】
このように第１実施形態によれば、スナップフィットだけで容易に周辺機器１３をガスメータ１に取り付けることができる。また、ネジ止めが不要なので美観も向上する。なお、第１実施形態は請求項１に対応する。
【００３８】
[第２実施形態]
図２（Ａ）及び図２（Ｂ）はそれぞれ、本発明の第２実施形態に係るガスメータと周辺機器との取り付け構造を示す正面図及び側面図である。
【００３９】
図２（Ａ）及び図２（Ｂ）に示すように、ガスメータ２は、前面を構成するフロントカバー２０、箱形の本体ケース２１で外形が構成される。ガスメータ２の本体ケース２１の底面には、周辺機器２３が取り付けられる。なお、以降の説明では、簡単に、ガスメータ２の底面、前面、上面等とよぶものとする。
【００４０】
ガスメータ２の上面には、円筒状の流入口２０１及び流出口２０２が設けられている。流入口２０１から流入したガスは、ガスメータ２内に形成された流路を経て、流出口２０２側に流出していく。この流路の途中にはマイクロフローセンサや超音波式等、公知の流量センサが配置されている。そして、この流量センサによる流量検出値に基づいてメータ２に内蔵されるマイクロコンピュータによりガス使用量が算出される。また、ガス流量異常や圧力異常時等には保安のためにマイクロコンピュータによりガスメータ２に内蔵される遮断弁装置が制御されてガス流路が遮断される。
【００４１】
ガスメータ２の前面には、上記ガス使用量や保安情報等を表示する表示部２０３やリセットスイッチ２０４、図示しない端子台を覆う端子台カバー２０５がネジ２０６により固定されている。ガスメータ２の底面（請求項２中の一方の取付面に対応）の両サイド、例えば、両短辺にはそれぞれ、周辺機器２３を固定するための、突起２１２及びスナップ爪受部２１１が設けられている。
【００４２】
一方、周辺機器２３は箱形をしており、例えば、ＮＣＵ等の外部との通信機器が内蔵されている。ガスメータ２の底面に対面する周辺機器２３の上面（請求項２中の他方の取付面に対応）は、上記ガスメータ２の底面と同等の幅及び奥行きを有している。周辺機器２３の上面の両サイド、例えば、両短辺にはそれぞれ、上記突起２１２が挿入される突起受部２３２及びスナップ爪受部２１１に係合するスナップ爪２３１が設けられている。
【００４３】
周辺機器２３をガスメータ２に取り付けるときには、ガスメータ２に設けられた突起２１２を、周辺機器２３に設けられた突起受部２３２に挿入した後、ガスメータ２に設けられたスナップ爪受部２１１に、周辺機器２３に設けられたスナップ爪２３１を係合させる。すなわち、ネジ止め作業等を要することなく、スナップフィットだけで容易に周辺機器２３をガスメータ２に取り付けることができる。
【００４４】
なお、ここでは図示しないが、上記周辺機器２３の取り付けにともないガスメータ２と周辺機器２３との電気的接続も同時に行うようにすることが可能である。この場合、ガスメータ２の底面及び周辺機器２３の上面にそれぞれ電気的接続端子板を設けておき、取り付け完了時に、これらが電気的に接触するようにしておけばよい。こうすることにより、ガスメータ２と周辺機器２３との間の配線が不要となる。
【００４５】
また、上述のように、ガスメータ２の底面及び周辺機器２３の上面を取付面とすることが好ましいが、ガスメータ２及び周辺機器２３の他面を取付面とすることも可能である。また、上記実施形態とは逆に、突起受部２３２及びスナップ爪受部２１１をガスメータ２側に設け、突起２１２及びスナップ爪受部２１１を周辺機器２３側に設けることも可能である。
【００４６】
このように第２実施形態によれば、一箇所のスナップフィットだけで容易に周辺機器２３をガスメータ２に取り付けることができる。また、ネジ止めが不要なので美観も向上する。なお、第２実施形態は請求項２に対応する。
【００４７】
[第３実施形態]
図３（Ａ）及び図３（Ｂ）はそれぞれ、本発明の第３実施形態に係るガスメータと周辺機器との取り付け構造を示す正面図及び側面図である。
【００４８】
図３（Ａ）及び図３（Ｂ）に示すように、ガスメータ３は、前面を構成するフロントカバー３０、箱形の本体ケース３１、底面を構成するアンダーカバー３２で外形が構成される。フロントカバー３０はネジ３１１により本体ケース３１に固定され、アンダーカバー３２はネジ３１１により本体ケース３１に固定されている。アンダーカバー３２、すなわち、ガスメータ３の底面には、周辺機器３３が取り付けられる。なお、以降の説明では、簡単に、ガスメータ３の底面、前面、上面等とよぶものとする。
【００４９】
ガスメータ３の上面には、円筒状の流入口３０１及び流出口３０２が設けられている。流入口３０１から流入したガスは、ガスメータ３内に形成された流路を経て、流出口３０２側に流出していく。この流路の途中にはマイクロフローセンサや超音波式等、公知の流量センサが配置されている。そして、この流量センサによる流量検出値に基づいてメータ３に内蔵されるマイクロコンピュータによりガス使用量が算出される。また、ガス流量異常や圧力異常時等には保安のためにマイクロコンピュータによりガスメータ３に内蔵される遮断弁装置が制御されてガス流路が遮断される。
【００５０】
ガスメータ３の前面には、上記ガス使用量や保安情報等を表示する表示部３０３やリセットスイッチ３０４が配置される。また、ガスメータ３の前面には、端子台３０６が露呈しており、端子台カバー３０９がこの端子台３０６を覆うように取り付けられる。端子台３０６の側方には、周辺機器３３を固定するための、２つのストッパ溝３０８が設けられている。端子台カバー３０９は、ネジ受部３０７に図示しないネジが螺合されて固定される。ストッパ溝３０８に対向するサイド、すなわち、ガスメータ３の裏面には、周辺機器３３を固定するための、ひっかけ穴部３２１が設けられている。
【００５１】
一方、周辺機器３３は箱形をしており、例えば、ＮＣＵ等の外部との通信機器が内蔵されている。ガスメータ３の底面に対面する周辺機器３３の上面は、上記ガスメータ３の底面と同等の幅及び奥行きを有している。周辺機器３３の上面の両サイド、例えば、両長辺にはそれぞれ、上記ストッパ溝３０８に係合する２つのストッパ爪３３８及び上記ひっかけ穴部３２１に掛合するひっかけ爪３３１が設けられている。
【００５２】
周辺機器３３をガスメータ３に取り付けるときには、ガスメータ３に設けられたひっかけ穴部３２１に、周辺機器３３に設けられたひっかけ爪３３１を掛合させた後、ガスメータ３に設けられたストッパ溝３０８に、周辺機器３３に設けられたストッパ爪３３８を係合させる。そして、端子台３０６、ストッパ爪３３８、ストッパ溝３０８を共に覆うように端子台カバー３０９を取り付ける。
【００５３】
なお、ここでは図示しないが、上記周辺機器３３の取り付けにともないガスメータ３と周辺機器３３との電気的接続も同時に行うようにすることが可能である。この場合、ガスメータ３の底面及び周辺機器３３の上面にそれぞれ電気的接続端子板を設けておき、取り付け完了時に、これらが電気的に接触するようにしておけばよい。こうすることにより、ガスメータ３と周辺機器３３との間の配線が不要となる。
【００５４】
このように第３実施形態によれば、ネジ止め作業等を要することなく、容易に周辺機器３３を取り付けることができる。また、端子台３０６と共にストッパ爪３３８、ストッパ溝３０８が端子台カバーで覆われるので、美観も向上する。なお、第３実施形態は請求項３に対応する。
【００５５】
[第４実施形態]
図４（Ａ）及び図４（Ｂ）はそれぞれ、本発明の第４実施形態に係るガスメータと周辺機器との取り付け構造を示す正面図及び側面図である。
【００５６】
図４（Ａ）及び図４（Ｂ）に示すように、ガスメータ４は、前面を構成するフロントカバー４０、箱形の本体ケース４１、底面を構成するアンダーカバー４２で外形が構成される。フロントカバー４０はネジ４１１により本体ケース４１に固定され、アンダーカバー４２はネジ４２２により本体ケース４１に固定されている。アンダーカバー４２、すなわち、ガスメータ４の底面には、周辺機器４３が取り付けられる。なお、以降の説明では、簡単に、ガスメータ４の底面、前面、上面等とよぶものとする。
【００５７】
ガスメータ４の上面には、円筒状の流入口４０１及び流出口４０２が設けられている。流入口４０１から流入したガスは、ガスメータ４内に形成された流路を経て、流出口４０２側に流出していく。この流路の途中にはマイクロフローセンサや超音波式等、公知の流量センサが配置されている。そして、この流量センサによる流量検出値に基づいてメータ４に内蔵されるマイクロコンピュータによりガス使用量が算出される。また、ガス流量異常や圧力異常時等には保安のためにマイクロコンピュータによりガスメータ４に内蔵される遮断弁装置が制御されてガス流路が遮断される。
【００５８】
ガスメータ４の前面には、上記ガス使用量や保安情報等を表示する表示部４０３やリセットスイッチ４０４、図示しない端子台を覆う端子台カバー４０５がネジ４０６により固定されている。ガスメータ４の底面（請求項４中の一方の取付面に対応）の両サイド、例えば、両長辺にはそれぞれ、周辺機器４３を固定するための、第１カギ穴部４０７及びひっかけ穴部４２１が設けられている。第１カギ穴部４０７は、例えば、−字状に穿設されている。
【００５９】
一方、周辺機器４３は箱形をしており、例えば、ＮＣＵ等の外部との通信機器が内蔵されている。ガスメータ４の底面に対面する周辺機器４３の上面（請求項４中の他方の取付面に対応）は、上記ガスメータ４の底面と同等の幅及び奥行きを有している。周辺機器４３の上面の両サイド、例えば、両長辺にはそれぞれ、第１カギ穴部４０７と同等形状の第２カギ穴部４３７及びひっかけ穴部４２１に掛合するひっかけ爪４３１が設けられている。
【００６０】
また、カギ部材４４７は、上記第１カギ穴部４０７及び第２カギ穴部４３７に対応した形状、例えば、−字状の凸状であり、第１カギ穴部４０７及び第２カギ穴部４３７に挿入後回転されて、第１カギ穴部４０７及び第２カギ穴部４３７をロックする。
【００６１】
周辺機器４３をガスメータ４に取り付けるときには、ガスメータ４に設けられたひっかけ穴部４２１に、周辺機器４３に設けられたひっかけ爪４３１を掛合させた後、ガスメータ４に設けられた第１カギ穴部４０７と周辺機器４３に設けられた第２カギ穴部４３７とを符合させる。そして、カギ部材４４７を第１カギ穴部４０７及び第２カギ穴部４３７に挿入後図４（Ａ）中矢印で示すように回転させて、第１カギ穴部４０７及び第２カギ穴部４３７をロックする。
【００６２】
なお、ここでは図示しないが、上記周辺機器４３の取り付けにともないガスメータ４と周辺機器４３との電気的接続も同時に行うようにすることが可能である。この場合、ガスメータ４の底面及び周辺機器４３の上面にそれぞれ電気的接続端子板を設けておき、取り付け完了時に、これらが電気的に接触するようにしておけばよい。こうすることにより、ガスメータ４と周辺機器４３との間の配線が不要となる。
【００６３】
なお、上述のように、ガスメータ４の底面及び周辺機器４３の上面を取付面とすることが好ましいが、ガスメータ４及び周辺機器４３の他面を取付面とすることも可能である。また、上記実施形態とは逆に、ひっかけ爪４３１、第２カギ穴部４３７をガスメータ４側に設け、第１カギ穴部４０７、ひっかけ穴部４２１を周辺機器４３側に設けることも可能である。
【００６４】
このように第４実施形態によれば、ドライバ等の工具を要することなく、容易に周辺機器４３をガスメータ４に取り付けることができる。また、ネジ止めが不要なので美観も向上する。なお、第４実施形態は請求項４に対応する。
【００６５】
[第５実施形態]
図５（Ａ）及び図５（Ｂ）はそれぞれ、本発明の第５実施形態に係るガスメータと周辺機器との取り付け構造を示す正面図及び側面図である。
【００６６】
図５（Ａ）及び図５（Ｂ）に示すように、ガスメータ５は、前面を構成するフロントカバー５０、箱形の本体ケース５１で外形が構成される。ガスメータ５の本体ケース５１の底面には、周辺機器５３が取り付けられる。なお、以降の説明では、簡単に、ガスメータ５の底面、前面、上面等とよぶものとする。
【００６７】
ガスメータ５の上面には、円筒状の流入口５０１及び流出口５０２が設けられている。流入口５０１から流入したガスは、ガスメータ５内に形成された流路を経て、流出口５０２側に流出していく。この流路の途中にはマイクロフローセンサや超音波式等、公知の流量センサが配置されている。そして、この流量センサによる流量検出値に基づいてメータ５に内蔵されるマイクロコンピュータによりガス使用量が算出される。また、ガス流量異常や圧力異常時等には保安のためにマイクロコンピュータによりガスメータ５に内蔵される遮断弁装置が制御されてガス流路が遮断される。
【００６８】
ガスメータ５の前面には、上記ガス使用量や保安情報等を表示する表示部５０３やリセットスイッチ５０４が配置される。また、ガスメータ５の前面には、端子台５０６が露呈しており、図示しない端子台カバーがこの端子台５０６を覆うように取り付けられる。端子台５０６の下方には、周辺機器５３を固定するための、正面を向いたネジ受部５１８が設けられている。端子台カバーは、ネジ受部５０７に図示しないネジが螺合されて固定される。ネジ受部５１８に対向するサイド、すなわち、ガスメータ５の裏面には、周辺機器５３を固定するための、ひっかけ穴部５１２が設けられている。
【００６９】
一方、周辺機器５３は箱形をしており、例えば、ＮＣＵ等の外部との通信機器が内蔵されている。ガスメータ５の底面に対面する周辺機器５３の上面は、上記ガスメータ５の底面と同等の幅及び奥行きを有している。周辺機器５３の上面の両サイド、例えば、両長辺にはそれぞれ、ネジ受部５１８に対応するネジ穴部５３８及びひっかけ穴部５１２に掛合するひっかけ爪５３２が設けられている。
【００７０】
周辺機器５３をガスメータ５に取り付けるときには、ガスメータ５に設けられたひっかけ穴部５１２に、周辺機器５３に設けられたひっかけ爪５３２を掛合させた後、ガスメータ５のネジ受部５１８に、周辺機器５３に設けられたネジ穴部５３８を符合させる。そして、ネジ穴部５３８を介してネジ５４８をネジ受部５１８に螺合させた後、端子台カバーを取り付ける。
【００７１】
なお、ここでは図示しないが、上記周辺機器５３の取り付けにともないガスメータ５と周辺機器５３との電気的接続も同時に行うようにすることが可能である。この場合、ガスメータ５の底面及び周辺機器５３の上面にそれぞれ電気的接続端子板を設けておき、取り付け完了時に、これらが電気的に接触するようにしておけばよい。こうすることにより、ガスメータ５と周辺機器５３との間の配線が不要となる。
【００７２】
このように第５実施形態によれば、少ないネジ止めにより、容易に周辺機器５３をガスメータ５に取り付けることができる。また、ネジ５４８やネジ穴部５３８が端子台カバーで覆われるので、美観も向上する。なお、第５実施形態は請求項５に対応する。
【００７３】
[第６実施形態]
図６（Ａ）及び図６（Ｂ）はそれぞれ、本発明の第６実施形態に係るガスメータと周辺機器との取り付け構造を示す正面図及び側面図である。
【００７４】
図６（Ａ）及び図６（Ｂ）に示すように、ガスメータ６は、前面を構成するフロントカバー６０、箱形の本体ケース６１で外形が構成される。ガスメータ６の本体ケース６１の底面には、周辺機器６３が取り付けられる。なお、以降の説明では、簡単に、ガスメータ６の底面、前面、上面等とよぶものとする。
【００７５】
ガスメータ６の上面には、円筒状の流入口６０１及び流出口６０２が設けられている。流入口６０１から流入したガスは、ガスメータ６内に形成された流路を経て、流出口６０２側に流出していく。この流路の途中にはマイクロフローセンサや超音波式等、公知の流量センサが配置されている。そして、この流量センサによる流量検出値に基づいてメータ６に内蔵されるマイクロコンピュータによりガス使用量が算出される。また、ガス流量異常や圧力異常時等には保安のためにマイクロコンピュータによりガスメータ６に内蔵される遮断弁装置が制御されてガス流路が遮断される。
【００７６】
ガスメータ６の前面には、上記ガス使用量や保安情報等を表示する表示部６０３やリセットスイッチ６０４、図示しない端子台を覆う端子台カバー６０５がネジ６０６により固定されている。ガスメータ６の底面の両サイド、例えば、両長辺にはそれぞれ、周辺機器６３を固定するための、下方を向いたネジ受部６１８が設けられている。ネジ受部６１８に対向するサイド、すなわち、ガスメータ６の裏面には、周辺機器６３を固定するための、ひっかけ穴部６１２が設けられている。
【００７７】
一方、周辺機器６３は箱形をしており、例えば、ＮＣＵ等の外部との通信機器が内蔵されている。ガスメータ６の底面に対面する周辺機器６３の上面は、上記ガスメータ６の底面と同等の幅及び奥行きを有している。周辺機器６３の上面の両サイド、例えば、両長辺にはそれぞれ、ネジ受部６１８に対応するネジ穴部６３８及びひっかけ穴部６１２に掛合するひっかけ爪６３２が設けられている。
【００７８】
周辺機器６３をガスメータ６に取り付けるときには、ガスメータ６に設けられたひっかけ穴部６１２に、周辺機器６３に設けられたひっかけ爪６３２を掛合させた後、ガスメータ６のネジ受部６１８に、周辺機器６３に設けられたネジ穴部６３８を符合させる。そして、ネジ穴部６３８を介してネジ６４８をネジ受部６１８に螺合させる。
【００７９】
なお、ここでは図示しないが、上記周辺機器６３の取り付けにともないガスメータ６と周辺機器６３との電気的接続も同時に行うようにすることが可能である。この場合、ガスメータ６の底面及び周辺機器６３の上面にそれぞれ電気的接続端子板を設けておき、取り付け完了時に、これらが電気的に接触するようにしておけばよい。こうすることにより、ガスメータ６と周辺機器６３との間の配線が不要となる。
【００８０】
このように第６実施形態によれば、少ないネジ止めにより、容易に周辺機器６３をガスメータ６に取り付けることができる。また、ネジ受部６１８は下方を向いているので、正面からはネジ６４８が視認されることがなく美観も向上する。なお、第６実施形態は請求項６に対応する。
【００８１】
以上のように、本発明の実施形態によれば、周辺機器の取り付けが容易で、かつ美観を向上させることができる。
【図面の簡単な説明】
【００８２】
【図１】図１（Ａ）及び図１（Ｂ）はそれぞれ、本発明の第１実施形態に係るガスメータと周辺機器との取り付け構造を示す正面図及び側面図である。
【図２】図２（Ａ）及び図２（Ｂ）はそれぞれ、本発明の第２実施形態に係るガスメータと周辺機器との取り付け構造を示す正面図及び側面図である。
【図３】図３（Ａ）及び図３（Ｂ）はそれぞれ、本発明の第３実施形態に係るガスメータと周辺機器との取り付け構造を示す正面図及び側面図である。
【図４】図４（Ａ）及び図４（Ｂ）はそれぞれ、本発明の第４実施形態に係るガスメータと周辺機器との取り付け構造を示す正面図及び側面図である。
【図５】図５（Ａ）及び図５（Ｂ）はそれぞれ、本発明の第５実施形態に係るガスメータと周辺機器との取り付け構造を示す正面図及び側面図である。
【図６】図６（Ａ）及び図６（Ｂ）はそれぞれ、本発明の第６実施形態に係るガスメータと周辺機器との取り付け構造を示す正面図及び側面図である。
【図７】図７（Ａ）及び図７（Ｂ）は共に、従来のガスメータと周辺機器との取り付け構造を示す図である。
【符号の説明】
【００８３】
１、２、３、４、５、６  ガスメータ
１３、２３、３３、４３、５３、６３  周辺機器
１２１、２１１  スナップ爪受部
１３１、２３１  スナップ爪
３０８  ストッパ溝
３３８  ストッパ爪
４０７  第１カギ穴部
４３７  第２カギ穴部
４４７  カギ部材
５１８、６１８  ネジ受部
【図１】
2005345351.tif 000003
【図２】
2005345351.tif 000004
【図３】
2005345351.tif 000005
【図４】
2005345351.tif 000006
【図５】
2005345351.tif 000007
【図６】
2005345351.tif 000008
【図７】
2005345351.tif 000009